(57)【要約】  本発明は、電極リードが一方向に整列されるように垂直に積層された二つ以上の板状型電池セルを含み、外部と連結される端子部が形成された二つ以上の電池モジュール；電極端子が一方向に整列された状態で電池モジュールが上面に搭載されるモジュール収納部を含み、外周面に上向きに折り曲げられた構造の側壁が形成されているベースプレート（ｂａｓｅ ｐｌａｔｅ）；電池モジュールの電極端子を基準に両側に下向きに折り曲げられた側壁を含み、ベースプレート上に固定されてモジュールアセンブリーの上面を形成する上部カバープレート（ｕｐｐｅｒ ｃｏｖｅｒ ｐｌａｔｅ）；電池モジュールの上面に搭載されて電池モジュールに締結され、ケーブルを固定する板状型のアセンブリーカバー（ａｓｓｅｍｂｌｙ ｃｏｖｅｒ）；及び電池セルの電極リード上に装着され、ベースプレートとアセンブリーカバーに締結固定される電気絶縁性のモジュールカバー；を含むことを特徴とする電池モジュールアセンブリーを提供する。
2016503228.tif 000002
【特許請求の範囲】
【請求項１】
電極リードが一方向に整列されるように垂直に積層された二つ以上の板状型電池セルを含み、外部と連結される端子部が形成された二つ以上の電池モジュール；
電極端子が一方向に整列された状態で電池モジュールが上面に搭載されるモジュール収納部を含み、外周面に上向きに折り曲げられた構造の側壁が形成されているベースプレート（ｂａｓｅ ｐｌａｔｅ）；
電池モジュールの電極端子を基準に両側に下向きに折り曲げられた側壁を含み、ベースプレート上に固定されてモジュールアセンブリーの上面を形成する上部カバープレート（ｕｐｐｅｒ ｃｏｖｅｒ ｐｌａｔｅ）；
電池モジュールの上面に搭載されて電池モジュールに締結され、ケーブルを固定する板状型のアセンブリーカバー（ａｓｓｅｍｂｌｙ ｃｏｖｅｒ）；及び
電池セルの電極リード上に装着され、ベースプレートとアセンブリーカバーに締結固定される電気絶縁性のモジュールカバー；
を含むことを特徴とする、電池モジュールアセンブリー。
【請求項２】
前記電池セルは角形二次電池またはパウチ型二次電池であることを特徴とする、請求項１に記載の電池モジュールアセンブリー。
【請求項３】
前記パウチ型二次電池は樹脂層と金属層を含むラミネートシートに電極組立体が密封された構造になっていることを特徴とする、請求項２に記載の電池モジュールアセンブリー。
【請求項４】
前記電池モジュールにおいて電池セルは並列で連結されていることを特徴とする、請求項１に記載の電池モジュールアセンブリー。
【請求項５】
前記並列連結は‘Ｌ’字形または‘コ’字形バスバー（ｂｕｓ ｂａｒ）によって達成されることを特徴とする、請求項４に記載の電池モジュールアセンブリー。
【請求項６】
前記電池セルはカートリッジフレーム（ｃａｒｔｒｉｄｇｅ ｆｒａｍｅ）に固定され、前記電池モジュールはカートリッジフレームの積層構造になっていることを特徴とする、請求項１に記載の電池モジュールアセンブリー。
【請求項７】
前記モジュールカバーは、電池モジュールの電極端子と連結されるケーブルを固定する第１フック（ｈｏｏｋ）、前記アセンブリーカバーとかみ合って固定される位置固定用突起、及び電池モジュールに装着固定される第２フックを含むことを特徴とする、請求項１に記載の電池モジュールアセンブリー。
【請求項８】
前記第１フックは、端子部の離脱及び回転を防止するための一つ以上の突出部をさらに含むことを特徴とする、請求項７に記載の電池モジュールアセンブリー。
【請求項９】
前記モジュールカバーは、電池モジュールの電極端子を外部から電気的に遮断する絶縁性保護カバーをさらに含むことを特徴とする、請求項１に記載の電池モジュールアセンブリー。
【請求項１０】
前記絶縁性保護カバーには、モジュールカバーを固定するための一つ以上の第３フック（ｈｏｏｋ）が形成されていることを特徴とする、請求項９に記載の電池モジュールアセンブリー。
【請求項１１】
前記モジュールカバーは、ベースプレートに装着固定されるためのブッシング（ｂｕｓｈｉｎｇ）挿入口をさらに含むことを特徴とする、請求項１に記載の電池モジュールアセンブリー。
【請求項１２】
請求項１の電池モジュールアセンブリーを電源として含むことを特徴とする、デバイス。
【請求項１３】
前記デバイスは、非常用電源装置、電算室電源装置、携帯用電源装置、医療設備電源装置、消火設備電源装置、警報設備電源装置または避難設備電源装置であることを特徴とする、請求項１２に記載のデバイス。
【発明の詳細な説明】
【技術分野】
【０００１】
本発明は新規な構造の電池モジュールアセンブリーに関し、より詳しくは電極リードが一方向に整列されるように垂直に積層された二つ以上の板状型電池セルを含み、外部と連結される端子部が形成されている二つ以上の電池モジュール；電極端子が一方向に整列された状態で電池モジュールが上面に搭載されるモジュール収納部を含み、外周面に上向きに折り曲げられた構造の側壁が形成されているベースプレート；電池モジュールの電極端子を基準に両側に下向きに折り曲げられた側壁を含み、ベースプレート上に固定されてモジュールアセンブリーの上面を形成する上部カバープレート；電池モジュールの上面に搭載され、電池モジュールに締結され、ケーブルを固定する板状型のアセンブリーカバー；及び電池セルの電極リード上に装着され、ベースプレートとアセンブリーカバーに締結固定される電気絶縁性のモジュールカバー；を含むことを特徴とする電池モジュールアセンブリーに関する。
【背景技術】
【０００２】
近年、充放電可能な二次電池はワイヤレスモバイル器機のエネルギー源として幅広く使われている。また、二次電池は、化石燃料を使う既存のガソリン車両、ディーゼル車両などの大気汚染などを解決するための方案として提示されている電気自動車（ＥＶ）、ハイブリッド電気自動車（ＨＥＶ）などの動力源としても注目されている。
【０００３】
小型モバイル器機にはデバイス１台当たり一つないし四つの電池セルが使われるに対し、自動車などの中大型デバイスには高出力かつ大容量の必要性によって、多数の電池セルを電気的に連結した中大型電池モジュールが使われる。
【０００４】
中大型電池モジュールはできれば小さなサイズ及び重量に製造されることが好ましいので、高集積度で充積が可能であり、容量に比べて重量が小さな角形電池、パウチ型電池などが中大型電池モジュールの電池セルとして主に使われている。特に、アルミニウムラミネートシートなどを外装部材として使用するパウチ型電池は重量が小さくて製造コストが低いなどの利点によって最近多くの関心を集めている。
【０００５】
例えば、携帯電話、ＰＤＡ、デジタルカメラ、ノートブックコンピュータなどの小型モバイル器機は、該当製品の小型軽薄化の傾向に応じてデバイス１台当たり一つないし四つの小型軽量の電池セルを使っている。一方、電気自動車、ハイブリッド電気自動車などの中大型デバイスは、高出力大容量の必要性に応じて、多数の電池セルを電気的に連結した電池モジュール（または“中大型電池パック”ということもある）を使っている。電池モジュールのサイズ及び重量は当該中大型デバイスなどの収容空間及び出力などに直接的な関連性があるので、メーカーはできるだけ小型でありながらも軽量の電池モジュールを製造しようと努力している。
【０００６】
このために、従来には複数の電池モジュールを積層し、上下に固定用プレートを重ねて電池モジュール間の固定を完了した後、これをフレームの内部に別にさらに固定する方式が使われているが、このような方式は電池モジュールアセンブリーの全体積を増加させる原因となっている。また、従来の電池モジュールカバーは、電池モジュールアセンブリー自体を固定する機能よりは、他の固定部材に従属した構造物から構成されるので、別途の固定装置が必要であるだけでなく、単純に電極リードが形成された端子部を外部から保護するとか絶縁機能を提供することに限定されるという欠点がある。
【０００７】
したがって、このような問題点を根本的に解決することができる技術に対する必要性が非常に高い実情である。
【発明の概要】
【発明が解決しようとする課題】
【０００８】
本発明は従来技術の問題点と過去からあってきた技術的課題を解決することを目的とする。
【０００９】
本発明の目的は、収納部を含むベースプレートに電池モジュール、アセンブリーカバー及び上部カバープレートを装着する特定の構造に構成することで、電池モジュールアセンブリーの体積増加を抑制するとともに自体剛性を増大させ、さらに電池モジュール及び内部に収納されるケーブルを安定的に締結固定することができる新規な構造の電池モジュールアセンブリーを開発しようとした。
【００１０】
本発明の他の目的は、電池モジュールアセンブリーをコンパクト（ｃｏｍｐａｃｔ）な構造に組み立てることができ、内部収納部材を安定的に固定することができ、さらに電極リードを含んで端子部が離脱または回転しないように固定及び保護することで、生産工程の安全性及び効率性向上の効果を一緒に果たすことができる新規な構造の電池モジュールアセンブリーを提供することである。
【課題を解決するための手段】
【００１１】
このような目的を達成するための本発明による電池モジュールアセンブリーは、
電極リードが一方向に整列されるように垂直に積層された二つ以上の板状型電池セルを含み、外部と連結される端子部が形成された二つ以上の電池モジュール；
電極端子が一方向に整列された状態で電池モジュールが上面に搭載されるモジュール収納部を含み、外周面に上向きに折り曲げられた構造の側壁が形成されているベースプレート（ｂａｓｅ ｐｌａｔｅ）；
電池モジュールの電極端子を基準に両側に下向きに折り曲げられた側壁を含み、ベースプレート上に固定されてモジュールアセンブリーの上面を形成する上部カバープレート（ｕｐｐｅｒ ｃｏｖｅｒ ｐｌａｔｅ）； 
電池モジュールの上面に搭載されて電池モジュールに締結され、ケーブルを固定する板状型のアセンブリーカバー（ａｓｓｅｍｂｌｙ ｃｏｖｅｒ）；及び
電池セルの電極リード上に装着され、ベースプレートとアセンブリーカバーに締結固定される電気絶縁性のモジュールカバー；
を含む。
【００１２】
したがって、本発明による電池モジュールアセンブリーは、特定構造のベースプレート、上部カバープレート、アセンブリーカバー、及びモジュールカバーを含むので、電池モジュールアセンブリーが全体的にコンパクトな構造を提供するとともに電池モジュールをベースプレートの内部収納部に安定的に装着固定することができる。また、電池モジュールアセンブリーの全体剛性を増大させ、さらにベースプレートの内部に収納されるケーブルを安定的に締結固定することができる。
【００１３】
また、本発明による電池モジュールアセンブリーは、電池モジュールアセンブリーの組立工程において、追加的な部品の構成が必要ではないので、前記コンパクトな構造の提供とともに生産工程の効率性向上の効果を果たすことができる。さらに、電池モジュールの安定的な固定及びケーブルを含めた上部カバープレートなどの構成部品の装着固定がモジュールカバーによって容易になされることができる。
【００１４】
好適な一例において、前記電池セルは角形二次電池またはパウチ型二次電池であることができる。
【００１５】
前記角形二次電池は角形の金属ケースに電極組立体が密封されている構造であることができ、前記パウチ型二次電池は具体的に樹脂層と金属層を含むラミネートシートに電極組立体が密封されている構造であることができる。
【００１６】
前記二次電池は、好ましくは高いエネルギー密度、放電電圧、及び出力安全性のリチウム二次電池であることができる。このようなリチウム二次電池のその他の構成要素について以下に詳細に説明する。
【００１７】
一般に、リチウム二次電池は、陽極、陰極、分離膜、リチウム塩含有非水系電解液などから構成されている。
【００１８】
陽極は、例えば、陽極集電体上に陽極活物質、導電材及びバインダーの混合物を塗布した後、乾燥することで製造され、必要によって、充填材をさらに添加することもある。また、陰極は陰極集電体上に陰極活物質及びバインダーの混合物を塗布、乾燥することで製作され、必要によって、前述したような成分をさらに含むこともできる。
【００１９】
前記分離膜は陰極と陽極の間に挟まれ、高いイオン透過度及び機械的強度を持つ絶縁性の薄膜が使われる。
【００２０】
リチウム塩含有非水系電解液は、非水系電解液とリチウム塩からなり、非水系電解液としては、液状非水系電解液、固体電解質、無機固体電解質などが使われる。
【００２１】
前記集電体、電極活物質、導電材、バインダー、充填材、分離膜、電解液、リチウム塩などは当業界に知られているので、それについての詳細な説明はこの明細書で省略する。
【００２２】
このようなリチウム二次電池は当業界に知られている通常的な方法によって製造可能である。すなわち、陽極と陰極の間に多孔性分離膜を挿入し、そこに電解液を注入して製造することができる。
【００２３】
陽極は、例えば、前述したリチウム遷移金属酸化物活物質、導電材及びバインダーを含むスラリーを集電体上に塗布した後、乾燥することで製造することができる。同様に、陰極は、例えば、前述した炭素活物質、導電材及びバインダーを含むスラリーを薄い集電体上に塗布した後、乾燥することで製造することができる。
【００２４】
好適な一例において、前記電池モジュールにおいて電池セルは互いに並列で連結された構造であることができる。
【００２５】
具体的に、前記並列連結は‘Ｌ’字形または‘コ’字形バスバー（ｂｕｓ ｂａｒ）によってなされる構造であることができる。
【００２６】
前記電池セルは、好ましくはカートリッジフレーム（ｃａｒｔｒｉｄｇｅ ｆｒａｍｅ）に固定され、前記電池モジュールはカートリッジフレームの積層構造からなることができる。
【００２７】
このようなカートリッジフレームは所定の剛性を持つ部材で、外部の衝撃から電池セルを保護し、電池セルの安定した装着を保障する。また、カートリッジフレームによって前記電池セルは電極リードが一側面に向かうように配列されることにより、前記バスバーによる電気的並列連結をより容易になすことができる。
【００２８】
また、前記バスバーによって電気的並列連結をなす電池セルの電極リードは電極端子に連結され、前記電極端子は、好ましくは電極リードが配列された一側面と同一面上に形成できる。よって、前記電池セルがカートリッジフレームによって固定され、カートリッジフレームの積層によって組み立てられた電池モジュールは、一側面に形成された電極端子によって電池モジュールの相互間の電気的連結だけではなく、電圧測定のための検出部材を容易に装着することができる。
【００２９】
前記モジュールカバーは、好ましくは電池モジュールの電極端子に連結されるケーブルを固定する第１フック（ｈｏｏｋ）、前記アセンブリーカバーとかみ合って固定される位置固定用上向突起、及び電池モジュールに装着固定される第２フックを含むことができる。
【００３０】
前記第１フックは端子部の離脱及び回転を防止するための一つ以上の突出部をさらに含むことができる。
【００３１】
このような構造において、前記モジュールカバーは電池セルの電極リードが形成された部位を外部の衝撃から保護することができ、電気絶縁性素材から構成されているので、外部から電気的に隔離させる効果を同時に果たすことができる。
【００３２】
具体的に、前記第１フックは、端子部、及びケーブルを把持して固定することができる一つ以上の突出部を含んでいるので、ケーブル端子及びケーブルとの電気的連結の際、ケーブル端子及びケーブル結束部が外部に離脱するとか、ケーブル端子が定位置で回転することを防止する効果を果たすことができる。また、このような効果により、電池モジュールアセンブリーの組立工程において、より早い電池モジュールの組立を行うことができ、より安全な生産工程を保障することができる。
【００３３】
さらに、前記モジュールカバーは、電池モジュールに着脱容易な第２フックを含んでいるので、電池モジュールを組み立てるに際して、電池モジュールの組立をより早く遂行することができる。
【００３４】
このようなモジュールカバーは、所定の剛性を持つ素材から製作されるので、電池モジュールの内部に積層された板状型電池セルを一体化させるとともに外部からの衝撃から保護する効果を果たすことができる。さらに、前記モジュールカバーはアセンブリーカバーの一定位置に固定可能な上向突起を含んでいるので、前記モジュールカバーによって一体化した電池モジュールはアセンブリーカバーと一体的に装着固定できる。
【００３５】
好適な一例において、前記モジュールカバーは、電池モジュールの電極端子を外部から電気的に遮断する絶縁性保護カバーをさらに含むことができる。
【００３６】
具体的に、前記端子部及びケーブルが結束された部分は外部から電気的に露出された状態なので、電気的に絶縁することができる絶縁保護カバーがこのような機能を果たすことができる。
【００３７】
前記絶縁性保護カバーは、モジュールカバーに容易に着脱できるようにする第３フックを一つ以上含むことができ、好ましくはこれはフック構造の結束部であることができるがこれに限定されるものではない。
【００３８】
したがって、モジュールカバー及び絶縁保護カバーは、組立工程の効率性向上とともに、電気的により安全な組立工程を保障することができる。
【００３９】
好適な一例において、前記モジュールカバーは、ベースプレートに装着固定するためのブッシング（ｂｕｓｈｉｎｇ）挿入口をさらに含むことができる。
【００４０】
具体的に、前記モジュールカバーは上部カバープレート、カバーアセンブリー、及びベースプレートとともに締結固定するためのブッシング挿入口をさらに含むので、前記ブッシング挿入口に挿入されたブッシング及び締結部材によって締結固定される。前記締結部材は好ましくはボルトであることができるが、それに限定されるものではない。
【００４１】
したがって、前記モジュールカバーと一体化した電池モジュールは、前記ブッシング挿入口によってベースプレートに安定的に装着固定されるので、電池モジュールアセンブリーの安定的で所望水準の自体剛性を達成することができる。
【００４２】
また、本発明は、前記電池モジュールアセンブリーを電源として含むデバイスを提供する。前記デバイスは、具体的に、非常用電源装置、電算室電源装置、携帯用電源装置、医療設備電源装置、消火設備電源装置、警報設備電源装置または避難設備電源装置であることができるが、これに限定されるものではない。
【００４３】
このようなデバイスの構造及び製作方法は当業界に知られているので、本明細書ではそれについての詳細な説明を省略する。
【図面の簡単な説明】
【００４４】
【図１】本発明に使われる一実施例による電池セルの平面図である。
【図２】図１の電池セルが一実施例によるカートリッジフレームに装着される形態を示した斜視図である。
【図３】本発明の一実施例による電池モジュールの斜視図である。
【図４】図３の電池モジュールに一実施例によるモジュールカバーを装着する一連の過程を示す斜視図である。
【図５】図３の電池モジュールに一実施例によるモジュールカバーを装着する一連の過程を示す斜視図である。
【図６】ベースプレートに装着された電池モジュールの上端にケーブル及びアセンブリーカバーが装着される形態を示した斜視図である。
【図７】ベースプレートに上部カバープレートを装着した形態を示した斜視図である。
【図８】本発明の一実施例によるモジュールカバーの斜視図である。
【図９】本発明の一実施例によるモジュールカバーの正面図である。
【図１０】本発明の一実施例によるモジュールカバーの底面図である。
【図１１】本発明の一実施例によるモジュールカバーの側面図である。
【図１２】本発明の一実施例によるモジュールカバーの電極端子部を示した正面拡大図である。
【図１３】図１２のモジュールカバーに絶縁性保護カバーを装着した形態を示した正面拡大図である。
【発明を実施するための形態】
【００４５】
以下、添付図面を参照して本発明の実施例による電池モジュールアセンブリーを説明するが、これは本発明のより容易な理解のためのもので、本発明の範疇がこれに限定されるものではない。
【００４６】
図１には電極リード１１、１２が一側端部に形成された板状型電池セル１０の平面図が示されている。
【００４７】
図１を参照すれば、電池セル１０は電極リード１１、１２が一側端部に形成された板状型電池セルである。具体的に、板状型電池セル１０は金属層（図示せず）及び樹脂層（図示せず）を含むラミネートシートのパウチ型ケース１３に電極組立体（図示せず）が内蔵された後にシーリング部１４によって密封された構造のもので、通常これをパウチ型電池セル１０と呼ぶ。
【００４８】
図２には電池セル１０、２０がカートリッジフレーム３１に装着される形態を示した斜視図が示され、図３にはカートリッジフレーム３１〜３８から組み立てられた電池モジュール１００の斜視図が示されている。
【００４９】
これら図を参照すれば、電池セル１０、２０はカートリッジフレーム３１に装着され、このようなカートリッジフレーム３１〜３８はカートリッジフレーム上端カバー１１１及びカートリッジフレーム下端カバー１１２とともにボルト（図示せず）で締結及び固定されることで、一つの電池モジュール１００を成す。また、カートリッジフレーム３１〜３８の内部に装着された電池セル１０、２０の電極リード１１、１２は電池モジュール１００の一側面に整列され、‘コ’字形のバスバー１３１、１４１によって電気的に並列で連結される。このように電気的に並列で連結された電極リード１１、１２はそれぞれ陽極端子１３０及び陰極端子１４０に連結される。
【００５０】
図４及び図５には図３の電池モジュール１００にモジュールカバー２００を装着する形態を示した斜視図が示されている。
【００５１】
これら図を参照すれば、電池モジュール１００のモジュールカバー２００が装着される一側面の両側角部にはフック構造の突出部１５１、１５２が形成されている。また、これに対応する位置には、突出部１５１、１５２にぴったり合うサイズの第２フック２１１、２１２がモジュールカバー２００に形成されている。
【００５２】
このようなフック構造は着脱が非常に容易な構造なので、電池モジュール１００の組立工程において、作業効率性を向上させることができる。この構造については以下により詳細に説明する。
【００５３】
図６にはベースプレート３００に装着された電池モジュール１０１、１０２、１０３、１０４の上端にケーブル及びアセンブリーカバー５００が装着される形態を示した斜視図が示され、図７にはベースプレート３００に上部カバープレート８００を装着した形態を示した斜視図が示されている。
【００５４】
これら図を参照すれば、アセンブリーカバー５００にはモジュールカバー２００に固定できるようにする多数の固定用締結口５２１が形成され、電源ケーブル６１０、６２０、電圧検出用ケーブル６４０及び通信ケーブル６３０がそれぞれバンドクリップ（図示せず）によってアセンブリーカバー５００に装着固定される。
【００５５】
電圧検出用ケーブル６４０及び通信ケーブル６３０はそれぞれバンドクリップ（図示せず）によって固定され、このようなバンドクリップがアセンブリーカバー５００に装着されることによって固定される。
【００５６】
温度センサー６６０は電圧検出用ケーブル６４０上から分離されてアセンブリーカバー５００に装着固定される。
【００５７】
ベースプレート３００の後面中央部３４０にはＢＭＳ（図示せず）が装着され、ＢＭＳの端子部（図示せず）に電圧検出用ケーブル６４０の連結端子６４２及び通信ケーブル６３０の連結端子６３２が接続される。
【００５８】
また、ベースプレート３００の前面中央部には電源ケーブル６１０及び通信ケーブル６３０の端部が集結されたハウジング構造のプラグインコネクター（ｐｌｕｇ−ｉｎ ｃｏｎｎｅｃｔｏｒ）７００が装着される。
【００５９】
このようなハウジング構造のプラグインコネクター７００は、構成された部品が単一固定構造に組み立てられて、部品数を減少することができ、組立作業及び管理が容易で効率的な内部空間の活用を可能にする。
【００６０】
上部カバープレート８００は下向きに折り曲げられた側壁８１０を含み、ベースプレート３００の外周面に上向きに折り曲げられた構造の側壁３３０が形成されているので、これらは互いにブラケット４００によって熔接で結合される。
【００６１】
図８には本発明の一実施例によるモジュールカバーの斜視図が示され、図９及び図１０にはモジュールカバー２００の正面図及び底面図が示され、図１１にはモジュールカバーの側面図が示されている。
【００６２】
これら図を図６及び図７と一緒に参照すれば、モジュールカバー２００にはベースプレート３００に固定するためのブッシング挿入口２２０、電池モジュールの突出部１５１、１５２とそれぞれ結合される第２フック２１１、２１２、及びケーブル端子を固定する突出部２３２、２３３を含み、ケーブル端部を固定する第１フック２３１が構成されている。
【００６３】
モジュールカバー２００の上面にはアセンブリーカバー５００の締結口５２１とかみ合って固定される上向突起２５１、２５２が形成されている。このような固定用締結口５２１は電池モジュールがアセンブリーカバー５００の定位置に装着できるようにする。
【００６４】
このような方法によって定位置に装着固定された電池モジュール１０１、１０２、１０３、１０４は、モジュールカバー２００に形成されたホール形のブッシング挿入口２２０及びブッシング挿入口２２０内に装着されたブッシング（図示せず）によってボルト締結でさらに固定される。
【００６５】
具体的に、アセンブリーカバー５００の締結口５２１、モジュールカバー２００のブッシング挿入口２２０を貫いたボルト（図示せず）がベースプレート３００に固定されることにより、モジュールカバー２００に固定された電池モジュールをさらに堅く固定することになる。
【００６６】
図１２には本発明の一実施例によるモジュールカバー２００の電極端子部を示した正面拡大図が示され、図１３には図１２のモジュールカバー２００に絶縁性保護カバー２６０を装着した形態を示した正面拡大図が示されている。
【００６７】
これら図を図８〜図１０と一緒に参照すれば、モジュールカバー２００には、ケーブル端子を固定する突出部２３２、２３３を含み、ケーブル端部を固定する第１フック２３１が構成されている。電極端子１３０にはケーブル端子６５１が装着され、ケーブル端子６５１のケーブル結束部６５２はモジュールカバー２００のケーブル端子を固定する突出部２３２、２３３によって固定される。
【００６８】
電圧検出用ケーブル６４０の端部６５３、６５４はモジュールカバー２００の第１フック２３１によって固定される。このように固定されたケーブル結束部６５２及びケーブル端部６５３は互いに電気的に結束される過程でケーブル結束部６５２またはケーブル端部６５３が外部に離脱するとか回転することなどを事前に防止することができるので、組立工程において効率性向上の効果を果たすことができる。
【００６９】
また、モジュールカバー２００は絶縁性保護カバー２６０がさらに装着されているので、電極端子１３０及び電圧検出用ケーブル６４０の電気的連結を外部から保護する。
【００７０】
このような構造の絶縁保護カバー２６０はフック構造の第３フック２６１、２６２、２６３を含み、これに対応する位置にモジュールカバー２００もフック構造に対応する形状の結束部２４１、２４２、２４３が形成されて互いにかみ合うように構成されるので、モジュールカバー２００に対する絶縁性保護カバー２６０の着脱を容易にする。
【００７１】
したがって、モジュールカバー２００及び絶縁性保護カバー２６０は、組立工程の効率性向上とともに電気的により安全な組立工程を保障することができる。
【００７２】
本発明が属した分野で通常の知識を持つ者であれば前記内容に基づいて本発明の範疇内で多様な応用及び変形が可能であろう。
【産業上の利用可能性】
【００７３】
以上説明したように、本発明による電池モジュールアセンブリーは、収納部を含むベースプレートに電池モジュール、アセンブリーカバー及び組立式モジュールカバーを装着する構造に構成されることにより、電池モジュールアセンブリーをコンパクトな構造に組み立てることができ、電池モジュールアセンブリーの体積増加を抑制するとともに自体剛性を増大させることができる。
【００７４】
また、一つの電気絶縁性のモジュールカバーによって電池モジュール及び内部に収納されるケーブル及び収納部材を安定的に締結固定し、電池モジュール端子部の離脱、回転などを防止することで、ケーブル、収納及び端子部を外部の衝撃などから安全に保護することができ、さらに生産工程の安全性及び効率性向上の効果を一緒に果たすことができる。
【符号の説明】
【００７５】
１０  板状型電池セル
１１、１２  電極リード
１３  パウチ型ケース
１４  シーリング部
２０  電池セル
３１〜３８  カートリッジフレーム
１００〜１０４  電池モジュール
１１１  カートリッジフレーム上端カバー
１１２  カートリッジフレーム下端カバー
１３０  陽極端子
１３１、１４１  バスバー
１４０  陰極端子
１５１、１５２  突出部
２００  モジュールカバー
２１１、２１２  第２フック
３００  ベースプレート
５００  アセンブリーカバー
６３０  通信ケーブル
６４０  電圧検出用ケーブル
８００  上部カバープレート
【図１】
2016503228.tif 000003
【図２】
2016503228.tif 000004
【図３】
2016503228.tif 000005
【図４】
2016503228.tif 000006
【図５】
2016503228.tif 000007
【図６】
2016503228.tif 000008
【図７】
2016503228.tif 000009
【図８】
2016503228.tif 000010
【図９】
2016503228.tif 000011
【図１０】
2016503228.tif 000012
【図１１】
2016503228.tif 000013
【図１２】
2016503228.tif 000014
【図１３】
2016503228.tif 000015
【国際調査報告】
2016503228.tif 000016
2016503228.tif 000017
2016503228.tif 000018
2016503228.tif 000019